(57)【要約】【課題】液晶を制御駆動する制御駆動回路を改良することによりリバースチルトドメインを回避できるようにした液晶プロジェクタを提供すること。【解決手段】本発明に係るプロジェクタは、入力信号を処理する映像信号処理部２と、処理された映像信号を補正する映像信号補正部４と、映像信号補正部４で補正された映像信号に基づき液晶を駆動する液晶パネル駆動部５とを有する。液晶パネルは、マトリックス状に画素が配置されたノーマリホワイト型である。映像信号補正部４は、映像信号処理された映像信号に基づく画面情報からリバースチルトドメインの発生の容易性を判断し、発生容易と判断される場合は、液晶パネル駆動部５へ出力する出力信号を制限する。具体的には、画面情報として画面全体の平均輝度値を用い、この平均輝度が所定の輝度設定値以下の場合に、映像信号補正部４からの出力信号を制限する。【選択図】図２
2009069608.tif 000002
【特許請求の範囲】
【請求項１】
マトリックス状に配置される複数の画素を有するノーマリホワイト型液晶パネルと、入力された信号を映像信号処理する映像信号処理部と、映像信号処理された信号を補正する映像信号補正部と、映像信号補正部で補正された映像信号に基づいて液晶パネルを駆動する液晶パネル駆動部とを備えた液晶プロジェクタであって、
前記映像信号補正部は、映像信号処理部で信号処理された映像信号に基づく画面情報からリバースチルトドメイン発生の容易性を判断し、リバースチルトドメインの発生容易と判断される場合には、液晶パネル駆動部へ高階調値の出力信号が出力されないように制限する制限手段を備えていることを特徴とする液晶プロジェクタ。
【請求項２】
前記映像信号補正部は、前記映像信号処理部で映像処理された映像信号から画面全体の平均輝度を算出する平均輝度算出部を有し、前記制限手段は、平均輝度算出部において算出された平均輝度値が予め設定された第１平均輝度設定値以下の場合にリバースチルトドメインが発生すると判断するように構成されていることを特徴とする請求項１記載の液晶プロジェクタ。
【請求項３】
前記映像信号補正部は、前記映像信号処理部で映像処理された映像信号をガンマ補正するガンマ補正部と前記制限手段としてのデータ制限部とをさらに有し、
データ制限部は、前記平均輝度値が予め設定された第１平均輝度設定値以下の場合において、前記ガンマ補正部から出力される映像信号が第１出力信号設定値以上の場合には、この出力信号をクリップ処理するように構成されていることを特徴とする請求項２記載の液晶プロジェクタ。
【請求項４】
前記映像信号補正部は、前記映像信号処理部で映像処理された映像信号をガンマ補正するガンマ補正部と前記制限手段としてのデータ制限部とをさらに有し、
前記データ制限部は、前記平均輝度値について下位輝度値に予め設定された第２平均輝度設定値と上位輝度値に予め設定された第３平均輝度設定値とを有し、前記平均輝度値が第２平均輝度設定値以下である場合には、液晶パネル駆動部へ出力する出力信号を予め定められた第２出力信号設定値以下に制限し、前記平均輝度値が第２平均輝度設定値と第３平均輝度設定値との間にある場合は、液晶パネル駆動部へ出力する出力信号の上限値を予め定められた対応関係で平均輝度値の上昇に対応して最高階調値に至るように制限し、前記平均輝度値が第３平均輝度設定値以上の場合は、液晶パネル駆動部へ出力する出力信号の上限値を最高階調値とするように構成されていることを特徴とする請求項２記載の液晶プロジェクタ。
【請求項５】
前記映像信号補正部は、前記映像信号処理部で映像処理された映像信号をガンマ補正するガンマ補正部と前記制限手段としてのデータ制限部とをさらに有し、
前記ガンマ補正部は、映像信号処理部からの入力信号が最高階調値の場合のみ出力信号が予め定められた第３出力信号設定値を超えるような特性をするドメイン対策ガンマ補正曲線により補正されるように構成され、
前記データ制限部は、前記平均輝度値が予め設定された第１平均輝度設定値以下の場合において、前記ガンマ補正部から出力される映像信号が最高階調値の場合のみ前記第３出力信号設定値に補正されるように構成されていることを特徴とする請求項２記載の液晶プロジェクタ。
【発明の詳細な説明】
【技術分野】
【０００１】
本発明は、液晶プロジェクタに関する。特に、マトリックス状に配置された複数の画素を有するノーマリホワイト型液晶パネルを有する液晶プロジェクタに関する。
【背景技術】
【０００２】
液晶プロジェクタに用いられる液晶パネルは、近年、微細加工技術を応用したアクティブマトリックス駆動方式の高温ポリシリコンＴＦＴ液晶パネルが用いられるようになり、多画素化、高開口率化が進んでいる。このため、画素電極周辺では、映像表示に関与する垂直方向の電界の他に、隣接する画素電極、垂直信号線等の他の電極との間の横方向の電界が液晶の動きに影響を与えることが知られている。すなわち、横方向の電界によって、液晶分子が見かけ上動いていないように見える領域が生じる。
【０００３】
この領域は、ノーマリホワイト型液晶パネルの場合、画素電極内に光抜けの領域（輝線）として発生する。この輝線は、表示品質を著しく劣化させる。これは、一方の基板のラビング方向を上から下とし、対向基板となる他方の基板のラビング方向を右から左とすると、黒表示したときに、左上の部分の液晶分子が電界方向に向かず横を向くために左上の部分に現れる。これが横方向の電界による所謂リバースチルトドメインである。従来、この輝線に対しては液晶分子のプレチルトを上げる、液晶セルのセルギャップを狭くするなどの対策が取られてきた。しかしながら、この対策は、輝線の発生位置を画素電極のエッジ付近まで追いやることができても、輝線の発生そのものものをなくすことができなかった。このため、輝線の発生場所を覆うように遮光領域の幅を拡げることが行われてきた。したがって、この対策は、開口率が低下し、光の透過率が低下し、表示が暗くなるという問題があった。これを解決するものとして特許文献１では、画素電極間に存在する液晶層に対し常に電圧を与えるように、画像電極間に映像表示と関係のない電極を置き、常に、その電極に電圧をかけることにより、液晶を起こすという方策が提案されている。
【特許文献１】特開平８−１４６３８６号公報、段落番号００１１〜００１８、図１、図１３
【発明の開示】
【発明が解決しようとする課題】
【０００４】
上記特許文献１は、液晶パネルの設計段階において対応することのできる一解決策である。ところが、上記リバースチルトドメインは、液晶駆動時に常時発生するものではなく、特定の映像パターンを表示する場合に発生の可能性のあることが実験的に解明された。特定の映像パターンの具体的な例としては、例えば、画面の平均輝度（ＡＰＬ）が低いときにおいて、明るい階調値の映像データ、つまり、高階調値の映像信号に基づく映像が表示された場合である。したがって、リバースチルトドメインを回避する対策が必要となるのは、一定条件の画像の場合のみであって、常時の対策がなくてもすむことが分かった。また、このような場合において、リバースチルトドメインを回避するには、高階調値の映像信号を液晶パネル駆動部に出力しないように制限することが有力であることが判明した。このようなことから、横方向のリバースチルトドメインを回避する方策としては、液晶パネルの設計段階においてそのような方策が採られていない場合であっても、表示装置に応用するような場合に採り得ることが解明された。
【０００５】
本発明は、このような背景の下になされたものであって、液晶を制御駆動する制御駆動回路を改良することによりリバースチルトドメインを回避できるようにした液晶プロジェクタを提供することを目的とする。
【課題を解決するための手段】
【０００６】
本発明は、マトリックス状に配置される複数の画素を有するノーマリホワイト型液晶パネルと、入力された信号を映像信号処理する映像信号処理部と、映像信号処理された信号を補正する映像信号補正部と、映像信号補正部で補正された映像信号に基づいて液晶パネルを駆動する液晶パネル駆動部とを備えた液晶プロジェクタであって、前記映像信号補正部は、映像信号処理部で信号処理された映像信号に基づく画面情報からリバースチルトドメイン発生の容易性を判断し、リバースチルトドメインの発生容易と判断される場合には、液晶パネル駆動部へ高階調値の出力信号が出力されないように制限する制限手段を備えていることを特徴とする。このように構成することにより、映像信号処理された映像信号に基づく画面情報からリバースチルトドメインの発生容易と判断される場合には、高階調値の映像信号が液晶パネル駆動部へ出力されないように制限されるため、画素電極間、垂直信号線等の他の電極との間の横方向の電界によるリバースチルトドメインの発生が抑制される。
【０００７】
また、前記映像信号補正部は、前記映像信号処理部で映像処理された映像信号から画面全体の平均輝度を算出する平均輝度算出部を有し、前記制限手段は、平均輝度算出部において算出された平均輝度値が予め設定された第１平均輝度設定値以下の場合にリバースチルトドメインが発生すると判断するように構成されている。このように構成すると、第１平均輝度設定値を適正に設定することにより、リバースチルトドメインの発生を確実に把握できることが実験的に確認されている。
【０００８】
また、前記映像信号補正部は、前記映像信号処理部で映像処理された映像信号をガンマ補正するガンマ補正部と前記制限手段としてのデータ制限部とをさらに有し、データ制限部は、前記平均輝度値が予め設定された第１平均輝度設定値以下の場合において、前記ガンマ補正部から出力される映像信号が第１出力信号設定値以上の場合には、この出力信号をクリップ処理するように構成することもできる。この場合において、第１出力信号設定値は、平均輝度値が第１平均輝度設定値以下の場合においてリバースチルトドメインを発生させない限界的な高出力信号としての階調値が実験的裏付の下に設定される。このように構成すると、平均輝度値が第１平均輝度設定値以下の場合において、ガンマ補正部から出力された映像信号が第１出力信号設定値以上の場合には、このガンマ補正部から出力された映像信号がデータ制限部により第１出力信号設定値に補正されて液晶パネル駆動部に出力されるので、リバースチルトドメインの発生が抑制される。
【０００９】
また、前記映像信号補正部は、前記映像信号処理部で映像処理された映像信号をガンマ補正するガンマ補正部と前記制限手段としてのデータ制限部とをさらに有し、前記データ制限部は、前記平均輝度値について下位輝度値に予め設定された第２平均輝度設定値と上位輝度値に予め設定された第３平均輝度設定値とを有し、前記平均輝度値が第２平均輝度設定値以下である場合には、液晶パネル駆動部へ出力する出力信号を予め定められた第２出力信号設定値以下に制限し、前記平均輝度値が第２平均輝度設定値と第３平均輝度設定値との間にある場合は、液晶パネル駆動部へ出力する出力信号の上限値を予め定められた対応関係で平均輝度値の上昇に対応して最高階調値に至るように制限し、前記平均輝度値が第３平均輝度設定値以上の場合は、液晶パネル駆動部へ出力する出力信号の上限値を最高階調値とするように構成することもできる。この場合においても、第２出力信号設定値、第２平均輝度設定値及び第３平均輝度設定値は、リバースチルトドメインを発生させない範囲内にあって、出力信号にできるだけ制限を加えないような数値であり、実験的裏付の下に設定される。このように構成すると、画面の平均輝度値の変化に対応して、映像信号補正部から出力される出力信号の上限階調値が段階的に制限されているので、違和感の少ない画像を提供することができる。
【００１０】
また、前記映像信号補正部は、前記映像信号処理部で映像処理された映像信号をガンマ補正するガンマ補正部と前記制限手段としてのデータ制限部とをさらに有し、前記ガンマ補正部は、映像信号処理部からの入力信号が最高階調値の場合のみ出力信号が予め定められた第３出力信号設定値を超えるような特性をするドメイン対策ガンマ補正曲線により補正されるように構成され、前記データ制限部は、前記平均輝度値が予め設定された第１平均輝度設定値以下の場合において、前記ガンマ補正部から出力される映像信号が最高階調値の場合のみ、前記第３出力信号設定値に補正されるように構成することもできる。この場合においても第３出力信号設定値は、平均輝度値が第１平均輝度設定値以下の場合にあって、リバースチルトドメインを発生しない限界的な高出力信号としての階調値が実験的裏付の下に設定される。このように構成すると、映像信号補正部に入力される映像信号の階調値に応じて映像信号補正部から出力される映像信号の階調値を変化させるようにしているので、入力信号に対する補正がより自然な補正となり、映像の品質を向上させることができる。
【発明の効果】
【００１１】
本発明によれば、映像信号処理された映像信号に基づく画面情報からリバースチルトドメインが発生容易と判断される場合には、高階調値の映像信号が液晶パネル駆動部へ出力されないように制限されるため、画素電極間、垂直信号線等の他の電極との間の横方向の電界によるリバースチルトドメインの発生が抑制される。
【発明を実施するための最良の形態】
【００１２】
（実施の形態１）
次に、本発明の実施の形態１について、図面に基づいて詳細に説明する。本発明に係るプロジェクタは３板式液晶プロジェクタであって、その液晶パネルを制御駆動する制御駆動回路の機能ブロック図を図１に示す。この図に示すように、入力端子に入力された入力信号は、各種映像再生機器から出力される各種映像信号に対応し得るようにアナログＩ／Ｆ、デジタルＩ／Ｆ、ビデオＩ／Ｆなどの各種入力インターフェースを備えた入力信号処理部１に接続される。そして、入力信号処理部１に入力された映像信号は、入力された映像信号に対応しＡ／Ｄ変換、デコード等の適宜の処理が施されて映像信号処理部２へ出力される。
【００１３】
映像信号処理部２では、フレームメモリ３を使用してパネルサイズに適切な信号形態にスケーリング処理する等の映像信号処理が行われ、映像信号補正部４に出力される。映像信号補正部４は、映像信号処理された映像信号をガンマ補正するとともに、映像信号処理された映像信号に基づく画面情報からリバースチルトドメインが発生しやすいかどうかを判断し、リバースチルトドメインを発生しやすい画面の場合は、液晶パネル駆動部５へ高階調値の出力信号が出力されないように制限する制限手段を備えている。そして、映像信号補正部４から出力される映像信号は、液晶パネル駆動部５においてＲ，Ｇ，Ｂ各液晶パネル６を駆動することができる信号形態に変換されるとともに、液晶パネル６駆動のための駆動パルスを同時に生成し、両者とも液晶パネル６へと入力される。
【００１４】
液晶パネル６は、マトリックス状に配置された複数の画素を有するアクティブマトリックス駆動方式の高温ポリシリコンＴＦＴであって、ノーマリホワイト型である。また、液晶パネル６は、入力された映像信号に応じた回転角を持ち、光源ランプ７からの光を透過させることで映像を作り出す。また、その表示映像は、投射レンズ（図示せず）により所定距離離れた場所にあるスクリーン（図示せず）などに結像される。
【００１５】
上記制御駆動回路に収納される制御用のＣＰＵ８は、映像信号処理部２を初め入力信号処理部１、映像信号補正部４、液晶パネル駆動部５、電源回路（図示せず）、光源ランプ７を制御する光源駆動回路９、各部の温度、傾斜角度などを検出する各種センサ１０、各部の異常を検出する異常検出センサ１１などのプロジェクタ全体の制御を行う。
【００１６】
次に、映像信号補正部４の詳細について説明する。図２は映像信号補正部４の内部構成をブロック図で示したものである。映像信号補正部４は、映像信号処理部２からの映像信号を総計し、画面の平均輝度（ＡＰＬ）を算出する平均輝度算出部４１と、映像信号処理部２から入力された映像信号を、液晶パネル６のＶＴ特性（印加電圧−透過率特性）に合うようにガンマ補正するガンマ補正部４２とを有する。また、映像信号補正部４は、液晶パネル駆動部５へ出力する出力信号を制限するデータ制限部４３を備えている。
【００１７】
液晶パネルのＶＴ特性は、液晶固有のものであって、その一例を図３に示す。また、ガンマ補正は、予め定められたガンマ補正曲線に従って補正される。この実施の形態に用いられるガンマ補正曲線は、通常用いられている標準ガンマ補正曲線４４であって、その例を図４に示す。図４のガンマ補正曲線は、１０ビットの入力信号の階調値を横軸に、１０ビットの出力信号を縦軸に表している。
【００１８】
データ制限部４３は、液晶パネル駆動部５へ出力する出力信号を制限する制限手段であって、平均輝度算出部４１において算出された平均輝度値が予め設定された第１平均輝度設定値Ｂ１以下の場合にリバースチルトドメインの発生容易と判断される。この第１平均輝度設定値Ｂ１は、リバースチルトドメインの発生容易性を判断することのできる基準値であって、実験的裏付の下に適正な階調値が設定されている。そして、図５の出力処理クリップ処理の説明図に示されるように、ガンマ補正部４２から出力された映像信号が予め設定された第１出力信号設定値Ｓ１以上の場合にクリップ処理するように構成されている。この場合において、第１出力信号設定値Ｓ１は、平均輝度値が第１平均輝度設定値Ｂ１以下の場合において、リバースチルトドメインを発生させない限界的な高出力信号としての階調値が実験的裏付の下に設定されている。図５は、１０ビットの入力信号を横軸に、１０ビットの出力信号を縦軸に表したものであって、この例では、第１平均輝度設定値Ｂ１を階調値８００と設定し、第１出力信号設定値Ｓ１を階調値９８０と設定している。したがって、画面の平均輝度が第１平均輝度設定値Ｂ１である階調値８００以下となった場合においては、先ずデータ制限部４３によりリバースチルトドメインの発生容易と判断される。そして、第１出力信号設定値Ｓ１である階調値９８０を超える高階調値の出力信号は、クリップされて第１出力信号設定値Ｓ１である階調値９８０にて出力される。これにより、横方向の電界によるリバースチルトドメインの発生が抑制される。
【００１９】
実施の形態１は以上のように構成されているので、次のような効果を奏することができる。
（１）映像信号処理部２で映像処理された映像信号に基づく画面情報からリバースチルトドメインの発生容易と判断される場合に、高階調値の映像信号に基づく出力信号が制限されるため、画素電極間、垂直信号線等の他の電極との間の横方向の電界によるリバースチルトドメインの発生が抑制される。
【００２０】
（２）映像信号補正部４は、映像信号処理部２で映像処理された映像信号から画面全体の平均輝度を算出する平均輝度算出部４１と、制限手段としてデータ制限部４３とを有している。そして、データ制限部４３は、平均輝度算出部４１において算出された平均輝度値が第１平均輝度設定値Ｂ１（この実施の形態では階調値８００）以下の場合にリバースチルトドメインの発生容易と判断するように構成されている。このように画面全体の平均輝度値に基づきリバースチルトドメインの発生容易性が判断されるので、適確な判断を行えることが実験的に確認されている。
【００２１】
（３）制限手段としてのデータ制限部４３は、ガンマ補正部４２から出力された出力信号が予め設定された第１出力信号設定値Ｓ１（この実施の形態では階調値９８０）以上の場合にクリップ処理するように構成されている。したがって、ガンマ補正部４２から出力された映像信号が第１出力信号設定値Ｓ１以上の場合には、この第１出力信号設定値Ｓ１として液晶パネル６を駆動する液晶パネル駆動部５に出力される。これにより、リバースチルトドメインの発生を抑制することができる。
【００２２】
（実施の形態２）
次に、実施の形態２について図６に基づき説明する。実施の形態２は、実施の形態１において、映像信号補正部４からの出力信号を制限する制限手段としてのデータ制限部４３を変更したものである。なお、図６は、この実施の形態に係る液晶プロジェクタの映像信号補正部４における出力信号の上限設定図であって、１０ビットの画面の平均輝度を横軸に、１０ビットの上限出力信号を縦軸に表したものであり、平均輝度値に対し上限出力信号がどのように設定されるかが示されている。
【００２３】
この実施の形態におけるデータ制限部４３は、図６に示すように、下位輝度値に予め設定された第２平均輝度設定値Ｂ２と上位輝度値に予め設定された第３平均輝度設定値Ｂ３とを有する。そして、画面の平均輝度値が第２平均輝度設定値Ｂ２以下の場合は、液晶パネル駆動部５へ出力する出力信号が予め設定された第２出力信号設定値Ｓ２以下に制限されている。また、平均輝度値が第２平均輝度設定値Ｂ２と第３平均輝度設定値Ｂ３との間にある場合は、液晶パネル駆動部５へ出力する出力信号の上限値を、予め定められた対応関係で平均輝度値の上昇に対応して第２平均輝度設定値Ｂ２から最高階調値（階調値１０２３）に至るように制限している。また、平均輝度値が第３平均輝度設定値Ｓ３以上の場合は、液晶パネル駆動部５へ出力する出力信号の上限値を最高階調値とするように構成されている。この場合における第２出力信号設定値Ｓ２、第２平均輝度設定値Ｂ２及び第３平均輝度設定値Ｂ３は、リバースチルトドメインを発生させない範囲内にあって、出力信号にできるだけ制限を加えないような数値であり、実験的裏付の下に設定される。なお、この例では、第２平均輝度設定値Ｂ２は階調値８００と設定され、第３平均輝度設定値Ｂ３は階調値９００と設定され、第２出力信号設定値Ｓ２は階調値９８０と設定されている。
【００２４】
実施の形態２は、以上のように、画面の平均輝度値の変化に対応して、映像信号補正部４から出力される出力信号の上限階調値が段階的に制限されているので、違和感の少ない画像を提供することができる。
【００２５】
（実施の形態３）
次に、実施の形態３について図７及び図８に基づき説明する。図７はこの実施の形態における映像信号補正部の詳細図であり、図８はこの実施の形態における係るドメイン対策ガンマ補正線図である。なお、実施の形態１と同一又は相当する構成要素には同一の符号を付しその説明を省略する。
【００２６】
実施の形態３は、実施の形態１において、ガンマ補正曲線を変更したものであって、その他の構成は基本的には実施の形態１と同一である。
すなわち、実施の形態３においてガンマ補正曲線としてドメイン対策ガンマ補正曲線４５を用いている。ドメイン対策ガンマ補正曲線４５は、図８に示すように、映像信号補正部４への入力信号が最高階調値（階調値１０２３の１００パーセント白の状態である）の場合のみにおいて、出力信号が第３出力信号設定値Ｓ３を超えて最高階調値（階調値１０２３）となるガンマ特性が設定されている。なお、図８は、１０ビットの入力信号の階調値を横軸に、１０ビットの出力信号を縦軸に表して、このドメイン対策ガンマ補正曲線４５を画いている。
【００２７】
そして、データ制限部は、実施の形態１の場合と同様、平均輝度算出部４１において算出された平均輝度値が予め設定された第１平均輝度設定値Ｂ１以下の場合にリバースチルトドメインが発生容易と判断される。そして、ガンマ補正部４２からの出力信号が最高階調値（階調値１０２３）の場合のみ、ドメイン対策ガンマ補正曲線４５による補正値を第３出力信号設定値Ｓ３に制限する。なお、この例において、第３出力信号設定値Ｓ３は、階調値９８０に設定されている。
【００２８】
実施の形態３はこのように構成されているので、実施の形態１のようにクリップ処理する場合に比し、クリップ処理による不自然な上限制限や明るさ変動を防ぐことができる。したがって、入力信号に対する補正がより自然な補正となり、映像の品質を向上させることができる。
（参考例）
次に参考例に係る液晶プロジェクタについて図９に説明する。参考例に係る液晶プロジェクタは、実施の形態１における映像信号補正部４において、平均輝度算出部４１及びデータ制限部４３を省略し、さらに、ガンマ補正曲線として図９のものを使用したものである。図９は、ガンマ補正部４２への入力信号が最高階調値（階調値１０２３の１００パーセント白の状態）の場合に出力信号値をＳ３（階調値９８０）とするガンマ補正曲線であり、図８のものと比較すると入力信号の最高階調値付近の曲線が相違する。このようにすれば、画面の平均輝度値の変化に関らずリバースチルトドメインの発生を抑制することができる。また、映像信号補正部４には、平均輝度算出部４１及びデータ制限部４３を設ける必要がないので、映像信号補正部４の構成を簡略化することができる。しかしながら。常に１００パーセント白の表示ができないという問題がある。したがって、例えば、白地に赤色の文字や図を浮き上がらせて表示したいような場合に、思い通りの明るい画面を製作して赤色の文字や図を浮き上がらせた画面を形成することができなくなる。しかしながら、実施の形態３の場合はこれが可能であり、この点に効果上の差異がある。
【００２９】
（変形例）
上記実施の形態において以下のように変更することもできる。
（１）上記各実施の形態では、映像信号処理部で信号処理された映像信号に基づく画面情報として、この映像信号から算出される画面全体の平均輝度を利用しているが、これに拘るものではなく、画像パターンにより判断することも可能と考えられる。
【００３０】
（２）上記実施の形態において、第１平均輝度設定値Ｂ１は階調値８００、第２平均輝度設定値Ｂ２は階調値８００、第３平均輝度設定値Ｂ３は階調値９００とそれぞれ設定されている。また、第１出力信号設定値Ｓ１、第２出力信号設定値Ｓ２及び第３出力信号設定値Ｓ３はそれぞれ階調値９８０と設定されている。しかし、これら数値は一例であり液晶パネルの仕様により適宜に定められるべきものである。
【００３１】
（３）上記各実施の形態は、３板式液晶プロジェクタであるが、本発明はこれに限定されるものではなく、単板式液晶プロジェクタにおいても応用することができる。
【図面の簡単な説明】
【００３２】
【図１】本発明の実施の形態１に係る液晶プロジェクタの液晶パネルを制御駆動する制御駆動回路の機能ブロック図である。
【図２】同液晶プロジェクタの映像信号補正部の詳細図である。
【図３】同液晶プロジェクタに使用されている液晶パネルのＶＴ特性線図である。
【図４】同液晶プロジェクタにおける標準ガンマ補正線図である。
【図５】同液晶プロジェクタの映像信号補正部における出力信号のクリップ処理説明図である。
【図６】本発明の実施の形態２に係る液晶プロジェクタの映像信号補正部における出力信号の上限設定図である。
【図７】本発明の実施の形態３に係る液晶プロジェクタの映像信号補正部の詳細図である。
【図８】同液晶プロジェクタにおけるドメイン対策ガンマ補正線図である。
【図９】参考例に係る液晶プロジェクタにおけるガンマ補正線図である。
【符号の説明】
【００３３】
Ｂ１…第１平均輝度設定値、Ｂ２…第２平均輝度設定値、Ｂ３…第３平均輝度設定値、Ｓ１…第１出力信号設定値、Ｓ２…第２出力信号設定値、Ｓ３…第３出力信号設定値、２…映像信号処理部、４…映像信号補正部、５…液晶パネル駆動部、６…液晶パネル、４１…平均輝度算出部、４２…ガンマ補正部、４３…データ制限部、４４…標準ガンマ補正曲線、４５…ドメイン対策ガンマ補正曲線。
【図１】
2009069608.tif 000003
【図２】
2009069608.tif 000004
【図３】
2009069608.tif 000005
【図４】
2009069608.tif 000006
【図５】
2009069608.tif 000007
【図６】
2009069608.tif 000008
【図７】
2009069608.tif 000009
【図８】
2009069608.tif 000010
【図９】
2009069608.tif 000011